(57)【要約】【解決手段】電気コネクタ（１００）における補強ピンの構造を開示する。コネクタは、コネクタハウジング（１１０）と、プリント回路基板（２００）上の電気接点（２１０）と電気接続するハウジングに取り付けられた接続ピン（１２０）と、コネクタハウジング（１１０）の前面の下側部分の各側部に取り付けられた補強ピン（１３０）とを含む。補強ピン（１３０）を収容するための嵌（かん）合部（１１４）は、コネクタハウジングの下側に形成され、一緒に形成された上側嵌合溝と下側嵌合溝（１１４ａ、１１４ｂ）を含む。各補強ピン（１３０）は、コネクタハウジング（１０）内の嵌合部（１１４）に対応する上側嵌合部材と下側嵌合部材（１３２、１３４）を有し、対応するハウジング嵌合部に差し込まれてそれらと嵌合する。各下側嵌合溝（１１４ｂ）の前部には下側が開いた部分がある。補強ピン（１３０）の部分が下側嵌合溝の下側面から突出してプリント回路基板上の固定接点へのはんだ付けに適合する。コネクタ（１００）が、はんだ付けによってプリント回路基板（２００）に固定される補強ピン（１３０）を含み、補強ピン（１３０）は、コネクタが衝撃又は振動を受けたときに接続ピン（１２０）が曲がるのを防ぐために働く。
2005514733.tif 000002
【特許請求の範囲】
【請求項１】
電気コネクタにおける補強ピンの構造であって、コネクタはコネクタハウジングと、プリント回路基板上の電気接点に電気接続する接続ピンと、プリント回路基板に取り付けるためにハウジングの各側部に取り付けられた補強ピンとを含み、
コネクタハウジングは、該コネクタハウジングの下側に形成された各補強ピン用の嵌合部を含み、該嵌合部が上側嵌合溝と下側嵌合溝を備え、該下側嵌合溝の前部は下側が開いた部分を備え、補強ピンは、上側嵌合溝と下側嵌合溝のそれぞれに差し込んで嵌合するためにコネクタハウジングの上側嵌合溝及び下側嵌合溝に対応する上側嵌合部材及び下側嵌合部材を備えることを特徴とする電気コネクタにおける補強ピンの構造。
【請求項２】
前記補強ピンと嵌合部との間の完全に結合された状態を示すために、補強ピンの下側嵌合部材の前端と、補強ピンのプリント回路基板に固定される部分との間に下枠部が形成され、下側嵌合部材の一部は、プリント回路基板上の固定接点へのはんだ付けに適合する、請求項１に記載の補強ピンの構造。
【請求項３】
前記補強ピンがコネクタハウジングの嵌合部に差し込まれて嵌合されたときに補強ピンを嵌合部内に固定するために、下側嵌合溝の下面に食い込む隆起スポットが上側嵌合部材の下側面に形成されている、請求項１に記載の補強ピンの構造。
【発明の詳細な説明】
【技術分野】
【０００１】
本発明は、コネクタ内の電気接点の曲がりを防ぐように設計された電気コネクタにおける補強ピンの構造に関する。
【背景技術】
【０００２】
コネクタは、ノートブック型コンピュータやカムコーダなどの電子装置の入出力間の電気接続を確立するものとして当技術分野において一般に知られている。そのようなコネクタをプリント回路基板に実装する場合、コネクタを基板に固定しかつコネクタの端子結合面とはんだ接続部にかかる応力を緩和するために、１本又はそれ以上の補強ピンが、コネクタハウジングに取り付けられ、回路基板にはんだ付けされることがある。図１及び２を参照して、従来の補強ピン構造の１つの例を説明する。図１は、従来の補強ピン１６を含む雌型コネクタ１０の分解図である。図２は、図１のコネクタの部分断面図である。
【０００３】
図１及び２を参照すると、雌型コネクタ１０は、雄型コネクタ（図示せず）が差し込まれる嵌（かん）合穴１２ａと該嵌合穴１２ａの両側に概略「Ｕ」字形に形成された嵌合部１２ｂとを有するコネクタハウジング１２と、プリント回路基板２０上の電気接点２２と電気接続する第１の電気接点と雄型コネクタ内の嵌合接点（図示せず）と電気接続する第２の電気接点とをそれぞれ有する接続ピン１４と、接続ピン１４の曲がりを防ぐためにプリント回路基板２０上の固定接点２４にはんだ付けする補強ピン１６とを含む。
【０００４】
従来の雌型コネクタ１０では、接続ピン１４の第１と第２の電気接点は、コネクタハウジングの後面の側部から前方に延在するように配設され、補強ピン１６は、コネクタハウジング１２の前面の下側部に取り付けられている。各補強ピン１６は、「Ｕ」字形に構成され、コネクタハウジング１２の前面の下側部に形成された相補的な「Ｕ」字形を有する嵌合部１２ｂに対応している。この構成では、補強ピン１６の上部は、嵌合部１２ｂの上部に差し込まれて結合され、ピン１６の下部は、コネクタハウジング１２の下側面に当接している。すなわち、補強ピン１６は、コネクタハウジング１２の各嵌合部１２ｂと嵌合され、ピン１６の上部だけが嵌合部１２ｂに差し込まれて結合されている。
【発明の開示】
【発明が解決しようとする課題】
【０００５】
従来の電気コネクタ１０は、接続ピン１４の第１の電気接点と補強ピン１６をそれぞれプリント回路基板２０上の電気接点２２と固定接点２４にはんだ付けすることによってプリント回路基板２０に固定される。前に説明したように、従来の補強ピン構造によれば、各補強ピン１６は、「Ｕ」字形を有しかつコネクタハウジングのやはり「Ｕ」字形を有する部分と嵌合するように構成されている。各補強ピン１６の下部は、コネクタハウジングの下面に露出しており、それにより結合力が低下し、補強ピンの揺れが起こることがある。したがって、雄型コネクタが雌型コネクタに電気的に結合されたとき、コネクタハウジングの揺れによって接続ピンが曲がることがある。
【０００６】
更に、接続ピンの曲がりによって、プリント回路基板の電気接点と接続ピンの間の電気接続が妨げられることがある。更に、前述の従来の構造を有する補強ピンの場合は、コネクタハウジング上の対応する嵌合部を正確に形成することが困難である。すなわち、コネクタハウジングのサイズが極めて小さいので、コネクタハウジング上の嵌合部を補強ピンに対応する「Ｕ」字形に構成することは極めて困難である。
【課題を解決するための手段】
【０００７】
したがって、本発明の目的は、コネクタハウジング内の嵌合部の１つの側面に食い込み、コネクタハウジングの嵌合部と係合し、それにより、コネクタハウジングの嵌合部内の補強ピンの配置を容易にすることができるように構成されたコネクタ補強ピン構造を提供することである。
【０００８】
本発明の別の目的は、コネクタ内に取り付けられた接続ピンの曲がりを防ぐことを支援する改善された補強ピン構造を提供することである。
【０００９】
本発明の別の目的は、コネクタハウジングの嵌合部内に補強ピンを位置決めして取り付けることによって、コネクタがプリント回路基板に確実に固定されることを可能にするコネクタ補強ピン構造を提供することである。
【００１０】
本発明の更に別の目的は、補強ピンがコネクタハウジングの嵌合部と係合されたとき、プリント回路基板上での接続ピンの正確な位置決めを可能にするコネクタ補強ピン構造を提供することである。
【００１１】
本発明の更に別の目的は、差し込まれる補強ピンをコネクタハウジングの嵌合部の１つの側面に食い込み係合するように構成することによって補強ピンの結合部のサイズを正確に決定することができるコネクタ補強ピン構造を提供することである。
【００１２】
以上の目的を達成するために、電気コネクタに取り付けるコネクタ補強ピン構造が提供され、コネクタが、コネクタハウジングと、プリント回路基板の接点との電気接触のためにコネクタハウジング内に取り付けられた接続ピンと、コネクタハウジングの前面の下部と接しプリント回路基板上の固定接点とはんだ接続して接続ピンを補強する補強ピンとを含む。
【００１３】
各補強ピンのための嵌合部は、コネクタハウジングの下側に形成されており、一体的に形成された上側嵌合溝と下側嵌合溝を含み、下側嵌合溝の前部には下側に開いた部分がある。
【００１４】
各補強ピンは、コネクタハウジングの嵌合部に対応する上側嵌合部材と下側嵌合部材を有し、各補強ピンが、コネクタハウジングの嵌合部に差し込まれ嵌合する。更に、補強ピン下側嵌合部材の前端と下側嵌合部材の下部との間に下枠部が形成される。下側嵌合部材の下部は、プリント回路基板上の対応する固定接点にはんだ付けされる。また、上側嵌合部材の下側面に、補強ピンがコネクタハウジングの嵌合部に差し込まれ嵌合したときに嵌合部に補強ピンを固定して配置するために下側嵌合溝の下側面に食い込む隆起スポットが形成されている。
【００１５】
本発明の以上その他の目的、特徴及び利点は、添付図面と関連して行われる以下の詳細な説明から更に明らかになるであろう。
【発明を実施するための最良の形態】
【００１６】
以下に、添付図面を参照して本発明の実施形態を説明する。以下の説明と図面において、同一参照数字は、同一か又は類似の構成要素を示すために使用され、したがって、同一か又は類似の構成要素の説明は繰り返えさない。
【００１７】
図３〜９は、本発明による雌型コネクタ１００を示す。図５及び９を参照すると、雌型コネクタ１００は、雄型コネクタ（図示せず）が差し込まれる嵌合穴１１２と、ハウジングの側部の前面に形成された補強ピン１３０用の嵌合部１１４とを有するコネクタハウジング１１０を含む。接続ピン１２０が設けられており、各ピン１２０は、はんだ付けによってプリント回路基板２００上の電気接点２１０と電気接続する第１の電気接点１２２と、雄型コネクタ内の相補型の接点と嵌合する第２の電気接点１２４とを有する。コネクタ１００が衝撃又は振動を受けたときに接続ピン１２０が曲がるのを防ぐために、ピン１３０がコネクタハウジング１１０の嵌合部１１４と嵌合されたときに、はんだ付けによって補強ピン１３０がプリント回路基板２００上の固定接点２２０に固定される。
【００１８】
図３、５及び７に示したようなコネクタハウジング１１０を参照すると、補強ピン１３０用の嵌合部１１４は、コネクタハウジング１１０の下部に一緒に形成された上側嵌合溝１１４ａと下側嵌合溝１１４ｂを含む。
【００１９】
図５及び７を参照すると、嵌合部１１４の上側嵌合溝１１４ａは、コネクタハウジング１１０の側部に貫通孔（こう）として形成されており、下側嵌合溝１１４ｂは、ハウジング１１０の前側において開いた下部を備えている。下側嵌合溝１１４ｂは、その下部が開いており、それにより、補強ピンの下側嵌合部材１３４の下面を、プリント回路基板２００の固定接点２２０にはんだ付けすることができる。後で詳細に示すように、ハウジング１１０の下面近くには、補強ピン１３０の下側嵌合部材１３４に形成された下枠部（sill）１３４ａに当たる係合あご１１４ｂ−１が形成されている。
【００２０】
図３及び７を参照すると、補強ピン１３０はそれぞれ、コネクタハウジングの嵌合部１１４に対応する上側嵌合部材１３２と下側嵌合部材１３４をそれぞれ有するように構成される。
【００２１】
図７に示したように、補強ピン１３０の上側嵌合部材１３２と下側嵌合部材１３４は、嵌合部１１４の上側嵌合溝１１４ａと下側嵌合溝１１４ｂとそれぞれ嵌合するように一体的に「Ｕ」字形に形成される。
【００２２】
下側嵌合部材１３４の前端と、補強ピン１３０のプリント回路基板２００の固定接点２２０に固定される部分との間に、下枠部１３４ａが形成される。補強ピン１３０をコネクタハウジング１１０に差し込む際に下枠部１３４ａが係合あご１１４ｂ−１に当接するが、これは、補強ピン１３０が嵌合部１１４と完全に係合していることを示している。また、下側嵌合部材１３４の一部は、露出されるとともに、はんだ付けによってプリント回路基板２００の固定接点２２０に取り付けるように構成されている。
【００２３】
更に、上側嵌合部材１３２の下面に、補強ピンを差し込む際にハウジングの上側嵌合溝１１４ａの下面に食い込む固定隆起スポット１３２ａが形成されており、それにより、補強ピン１３０が嵌合部１１４に差し込まれ嵌合されたときに、補強ピン１３０が嵌合部１１４内に固定されて配置される。
【００２４】
補強ピン１３０をコネクタ１００の嵌合部１１４と結合する方法を以下に説明する。
【００２５】
最初に、補強ピン１３０の上側部材１３２と下側部材１３４が、嵌合部１１４の上側嵌合溝１１４ａ及び下側嵌合溝１１４ｂとそれぞれ位置合わせさせられる。次に、上側部材１３２と下側部材１３４が、それぞれの嵌合溝１１４ａ、１１４ｂに押し込まれて、補強ピン１３０の上側嵌合部材１３２の下側面に形成された隆起フランジ１３２ａが上側嵌合溝１１４ａの下面に食い込み、ハウジング１１０内に補強ピン１３０を位置決めして固定することができる。ハウジング１１０に補強ピン１３０を差し込む際、下側嵌合部材１３４に形成された下枠部１３４ａが、下側嵌合溝１１４ｂに形成された嵌合あご１１４ｂ−１と当接すると、補強ピン１３０が嵌合部１１４と完全に嵌合される。下枠部１３２ａが係合あご１１４ｂ−１に接しない場合は、補強ピン１３０は嵌合部と完全に嵌合されていない。
【００２６】
したがって、前述のように本発明によれば、補強ピン１３０の各嵌合部材１３２、１３４が、嵌合部１１４の上側嵌合溝１１４ａと下側嵌合溝１１４ｂに差し込まれたとき、上側嵌合部材１３４の下側面に形成された固定隆起スポット１３２ａが上側嵌合溝１１４ａの下側面に食い込み、補強ピン１３０が嵌合部１１４に固定され配置される。また、下側嵌合部材１３４の端部は、嵌合部１１４の下側嵌合溝１１４ｂに差し込まれ嵌合される。
【００２７】
図８及び９を参照すると、組み立て後、第１の電気接点１２２及び補強ピン１３０を各々に対応する電気接点２１０及び固定接点２２０にそれぞれ位置合わせし、次に第１の電気接点１２２及び補強ピン１３０を回路基板２００上の各々に対応する接点にはんだ付けすることによって、コネクタ１００が、プリント回路基板２００に固定される。したがって、コネクタ１００（補強ピン１３０を含む）が、はんだ付けによってプリント回路基板２００に固定されていれば、補強ピン１３０が、コネクタ１００が衝撃又は振動を受けたときに接続ピン１２０が曲がるのを防ぐ働きをする。
【００２８】
以上のような本発明により、以下の利点が達成される。
【００２９】
まず、補強ピンが、コネクタハウジングの嵌合部に食い込み係合するように構成されているので、補強ピンをコネクタハウジングの嵌合部と確実に係合させることができ、それにより、補強ピンが接続ピンの曲がりを防ぐことが可能になる。
【００３０】
次に、補強ピンが、前述のようにコネクタハウジングの嵌合部と確実に係合されるので、補強ピンは、補強ピンが基板にはんだ付けされたときにコネクタをプリント回路基板に固定するのを支援する。
【００３１】
更に、補強ピンが、コネクタの嵌合部と確実に係合して接続ピンの曲がりを防ぐのを支援するように構成されているので、接続ピンとプリント回路基板の間の良好な電気接触を達成することができる。
【００３２】
最後に、補強ピンが、コネクタの嵌合部に食い込みかつ確実に係合するように構成されているので、コネクタハウジングに形成された嵌合部を、補強ピンの形状に適合するようにより正確に形成することができ、補強ピンをコネクタハウジングの嵌合部に取り付けるのが容易になる。
【００３３】
例示のために本発明の好ましい実施形態を説明したが、当業者であれば、添付の特許請求の範囲に開示された本発明の範囲及び精神から逸脱することなく、様々な変更、追加及び置換が可能であることが分るであろう。
【図面の簡単な説明】
【００３４】
【図１】電気コネクタに使用される従来技術の補強ピン構造を示す分解図である。
【図２】組み立てた状態で示した図１のコネクタの部分断面図である。
【図３】本発明による電気コネクタの補強ピンを示す斜視図である。
【図４】図３の補強ピンの側面図である。
【図５】本発明による図３の補強ピン構造を組み込んだコネクタの分解図である。
【図６】組み立てた状態で示した図５の電気コネクタの後部の斜視図である。
【図７】本発明によるコネクタハウジングの嵌合部と嵌合した図１の補強ピン構造の断面図である。
【図８】コネクタ接点及び補強ピンとプリント回路基板上の対応する接点との位置合わせを示す図５のコネクタの斜視図である。
【図９】プリント回路基板に取り付けられた図８のコネクタの平面図である。
【図１】
2005514733.tif 000003
【図２】
2005514733.tif 000004
【図３】
2005514733.tif 000005
【図４】
2005514733.tif 000006
【図５】
2005514733.tif 000007
【図６】
2005514733.tif 000008
【図７】
2005514733.tif 000009
【図８】
2005514733.tif 000010
【図９】
2005514733.tif 000011
【手続補正書】
【提出日】平成15年4月11日(2003.4.11)
【手続補正１】
【補正対象書類名】特許請求の範囲
【補正対象項目名】全文
【補正方法】変更
【補正の内容】
【特許請求の範囲】
【請求項１】
電気コネクタ（１００）における補強ピン（１３０）の構造であって、コネクタはコネクタハウジング（１１０）と、プリント回路基板（２００）上の電気接点（２１０）に電気接続する接続ピン（１２０）と、プリント回路基板に取り付けるためにハウジングの各側部に取り付けられた補強ピン（１３０）とを含み、
コネクタハウジング（１１０）は、該コネクタハウジングの下側に形成された各補強ピン用の嵌合部（１１４）を含み、該嵌合部が、コネクタハウジング（１１０）を部分的に貫通して延在している上側嵌合溝と下側嵌合溝（１１４ａ、１１４ｂ）を備え、該下側嵌合溝（１１４ｂ）の前部は下側が開いた部分を備え、補強ピン（１３０）は、上側嵌合溝と下側嵌合溝のそれぞれに差し込んで嵌合するためにコネクタハウジングの上側嵌合溝及び下側嵌合溝（１１４ａ、１１４ｂ）に対応する上側嵌合部材及び下側嵌合部材（１３２、１３４）を備えることを特徴とする電気コネクタ（１００）における補強ピン（１３０）の構造。
【請求項２】
前記補強ピンと嵌合部との間の完全に結合された状態を示すために、補強ピンの下側嵌合部材（１３４）の前端と、補強ピンのプリント回路基板（２００）に固定される部分との間に下枠部（１３４ａ）が形成され、下側嵌合部材（１３４）の一部は、プリント回路基板上の固定接点へのはんだ付けに適合する、請求項１に記載の補強ピン（１３０）の構造。
【請求項３】
前記補強ピンがコネクタハウジング（１１０）の嵌合部に差し込まれて嵌合されたときに補強ピン（１３０）を嵌合部内に固定するために、上側嵌合溝（１１４ａ）の下面に食い込む隆起スポット（１３２ａ）が上側嵌合部材（１３２）の下側面に形成されている、請求項１に記載の補強ピンの構造。
【手続補正書】
【提出日】平成15年10月13日(2003.10.13)
【手続補正１】
【補正対象書類名】特許請求の範囲
【補正対象項目名】全文
【補正方法】変更
【補正の内容】
【特許請求の範囲】
【請求項１】
電気コネクタ（１００）における補強ピン（１３０）の構造であって、コネクタはコネクタハウジング（１１０）と、プリント回路基板（２００）上の電気接点（２１０）に電気接続する接続ピン（１２０）と、プリント回路基板に取り付けるためにハウジングの各側部に取り付けられた補強ピン（１３０）とを含み、
コネクタハウジング（１１０）は、該コネクタハウジングの下側に形成された各補強ピン用の嵌合部（１１４）を含み、該嵌合部は、ほぼ等しい長さ及び幅を備え、両者ともにコネクタハウジング（１１０）を部分的にのみ貫通して延在している上側嵌合溝と下側嵌合溝（１１４ａ、１１４ｂ）を備え、該下側嵌合溝（１１４ｂ）の前部は下側が開いた部分を備え、補強ピン（１３０）は、上側嵌合溝と下側嵌合溝のそれぞれに差し込んで嵌合するためにコネクタハウジングの上側嵌合溝及び下側嵌合溝（１１４ａ、１１４ｂ）に対応してほぼ等しい長さ及び幅を備える上側嵌合部材及び下側嵌合部材（１３２、１３４）を備えることを特徴とする電気コネクタ（１００）における補強ピン（１３０）の構造。
【請求項２】
前記補強ピンと嵌合部との間の完全に結合された状態を示すために、補強ピンの下側嵌合部材（１３４）の前端と、補強ピンのプリント回路基板（２００）に固定される部分との間に下枠部（１３４ａ）が形成され、下側嵌合部材（１３４）の一部は、プリント回路基板上の固定接点へのはんだ付けに適合する、請求項１に記載の補強ピン（１３０）の構造。
【請求項３】
前記補強ピンがコネクタハウジング（１１０）の嵌合部に差し込まれて嵌合されたときに補強ピン（１３０）を嵌合部内に固定するために、上側嵌合溝（１１４ａ）の下面に食い込む隆起スポット（１３２ａ）が上側嵌合部材（１３２）の下側面に形成されている、請求項１に記載の補強ピンの構造。
【国際調査報告】
2005514733.tif 000012
2005514733.tif 000013